(57)【要約】【課題】カップの外形と調和しやすく、着心地の良いカップの立体支持リングを提供する。【解決手段】立体支持リング（１）が半円弧形状に構成され、前記立体支持リングの素材が扁平な線材からなり、前記扁平な線材が、平面下部が内側に傾斜することで、当該扁平な線材の上辺縁（２）が外側に、下辺縁（３）が内側に向く傾斜平面（４）を構成し、前記扁平な線材の傾斜平面（４）が、水平面に対し１５°〜８０°の傾斜角度をなす。【選択図】図５
2011106083.tif 000002
【特許請求の範囲】
【請求項１】
下着に設けられるカップの立体支持リングにおいて、
当該立体支持リング（１）は半円弧形状に構成され、前記立体支持リングの素材が扁平な線材からなり、
前記扁平な線材は、平面下部が内側に傾斜することで、当該扁平な線材の上辺縁（２）が外側に、下辺縁（３）が内側に向く傾斜平面（４）を構成し、前記扁平な線材の傾斜平面（４）が、水平面に対し１５°〜８０°の傾斜角度をなすことを特徴とするカップの立体支持リング。
【請求項２】
請求項１に記載のカップの立体支持リングにおいて、
前記立体支持リングを構成する扁平な線材の傾斜平面（４）が、水平面に対し３０°の傾斜角度をなすことを特徴とするカップの立体支持リング。
【請求項３】
請求項１に記載のカップの立体支持リングにおいて、
前記立体支持リングを構成する扁平な線材の傾斜平面（７）が、水平面に対し６０°の傾斜角度をなすことを特徴とするカップの立体支持リング。
【請求項４】
請求項１に記載のカップの立体支持リングにおいて、
前記立体支持リングを構成する扁平な線材の傾斜平面（１０）が、水平面に対し８５°の傾斜角度をなすことを特徴とするカップの立体支持リング。
【請求項５】
請求項１に記載のカップの立体支持リングにおいて、
前記立体支持リングを構成する扁平な線材の傾斜平面（１２）が、水平面に対し１５°の傾斜角度をなし、前記偏平な線材の断面形状が台形であることを特徴とするカップの立体支持リング。
【請求項６】
請求項１〜４のいずれか１項に記載のカップの立体支持リングにおいて、
前記偏平な線材の断面形状が楕円形であることを特徴とするカップの立体支持リング。
【請求項７】
請求項１〜６のいずれか１項に記載のカップの立体支持リングにおいて、
前記立体支持リングを構成する偏平な線材が、ステンレス線材であることを特徴とするカップの立体支持リング。
【請求項８】
請求項１〜６のいずれか１項に記載のカップの立体支持リングにおいて、
前記立体支持リングを構成する偏平な線材が、ポリエステルプラスチック又は樹脂プラスチックの線材であることを特徴とするカップの立体支持リング。
【請求項９】
請求項１〜６のいずれか１項に記載のカップの立体支持リングであって、
前記立体支持リングを構成する偏平な線材がシリコンゴム線材又はナイロン線材であることを特徴とするカップの立体支持リング。
【発明の詳細な説明】
【技術分野】
【０００１】
本発明は、ブラジャー等の下着に設けられるカップの立体支持リングに関する。当該立体支持リングは衣類の付属品分野に属し、特にブラジャーカップの支持部材に適用される。
【背景技術】
【０００２】
従来のブラジャー、シェイプアップインナー等の女性用下着は、カップの乳房に対する保持及び支持作用を実現するために、通常はカップ内に支持及び保持作用を有する部材を配置している。従来技術では、当該支持及び保持作用を有する部材として、ほとんどが半円形の金属製リングを採用し、カップの下縁部に配置していた。従来の金属製リングは、大部分が断面円形状のステンレス線材をその作製材料としている。
【発明の概要】
【発明が解決しようとする課題】
【０００３】
前記従来の断面円形状のステンレス線材は、装着性に劣り、カップに凸状の筋ができてしまう。このような筋は、ブラジャー等の下着の外観を損なうだけでなく、着用者にとっても着心地がよくなかった。
【０００４】
本発明は、このような事情に鑑み、カップの外形と調和しやすく、着用時に筋が浮き出ず、且つ着心地の良いブラジャーカップの立体支持リングを提供することを目的とする。
【課題を解決するための手段】
【０００５】
前記課題を解決するために、本発明は、下着に設けられるカップの立体支持リングにおいて、当該立体支持リングは半円弧形状に構成され、前記立体支持リングの素材が扁平な線材からなり、前記扁平な線材は、平面下部が内側に傾斜することで、当該扁平な線材の上辺縁が外側に、下辺縁が内側に向く傾斜平面を構成し、前記扁平な線材の傾斜平面が、水平面に対し１５°〜８０°の傾斜角度をなすことを特徴とするカップの立体支持リングを提供する。
【０００６】
本発明において、前記傾斜平面の水平面に対する傾斜角度としては、３０°、６０°、８５°が挙げられる。
【０００７】
また、立体支持リングの具体的形状としては、前記扁平な線材の断面形状が台形であって、前記傾斜面の前記水平面に対する傾斜角度が１５°に設定されたものが挙げられる。
【０００８】
また、前記偏平な線材の断面形状は、楕円形であってもよい。
【０００９】
また、前記扁平な線材の具体的な素材としては、ステンレス線材、ポリエステルプラスチック又は樹脂プラスチック線材、シリコンゴム線材又はナイロン線材が挙げられる。
【発明の効果】
【００１０】
本発明によれば、この立体支持リングをブラジャーカップ内に組み込んだ状態において、立体支持リングが保持する乳房部位の形状に沿って傾斜するので、ブラジャーカップをよりしっかりと乳房上に嵌め合わせて使用者により快適なフィット感を与えることができるとともに、ブラジャーカップに立体支持リングによる筋が浮き出るのを抑制してブラジャーカップの外表面を滑らかにすることができる。
【図面の簡単な説明】
【００１１】
【図１】図１は、本発明の実施例１の平面構造を示す図である。
【図２】図２は、本発明の実施例１の図１をＢ１方向から見た端面傾斜角度を示す図である。
【図３】図３は、本発明の実施例１の図１をＡ１方向から見た端面傾斜角度を示す図である。
【図４】図４は、本発明の実施例１の図１におけるＣ１−Ｃ１断面部の傾斜角度を示す図である。
【図５】図５は、本発明の実施例１の立体構造を示す図である。
【図６】図６は、本発明の実施例２の平面構造を示す図である。
【図７】図７は、本発明の実施例２の図６をＢ２方向から見た端面傾斜角度を示す図である。
【図８】図８は、本発明の実施例２の図６をＡ２方向から見た端面傾斜角度を示す図である。
【図９】図９は、本発明の実施例２の図６におけるＣ２−Ｃ２断面部の傾斜角度を示す図である。
【図１０】図１０は、本発明の実施例２の立体構造を示す図である。
【図１１】図１１は、本発明の実施例３の平面構造を示す図である。
【図１２】図１２は、本発明の実施例３の図１１をＢ３方向から見た端面傾斜角度を示す図である。
【図１３】図１３は、本発明の実施例３の図１１をＡ３方向から見た端面傾斜角度を示す図である。
【図１４】図１４は、本発明の実施例３の図１１におけるＣ３−Ｃ３断面部の傾斜角度を示す図である。
【図１５】図１５は、本発明の実施例３の立体構造を示す図である。
【図１６】図１６は、本発明の実施例４の平面構造を示す図である。
【図１７】図１７は、本発明の実施例４の図１６をＢ４方向から見た端面傾斜角度を示す図である。
【図１８】図１８は、本発明の実施例４の図１６をＡ４方向から見た端面傾斜角度を示す図である。
【図１９】図１９は、本発明の実施例４の図１６におけるＣ４−Ｃ４断面部の傾斜角度を示す図である。
【図２０】図２０は、本発明の実施例４の立体構造を示す図である。
【図２１】図２１は、本発明の実施例５の立体構造を示す図である。
【図２２】図２２は、本発明の実施例５における扁平な線材の断面構造を示す図である。
【発明を実施するための形態】
【００１２】
以下、図面を参照して本発明について更に説明する。
【００１３】
本発明の実施形態に係る立体支持リング１は、図１，図２，図３，図４及び図５等に示すように、ステンレス等の扁平線材を素材とし、半円弧形状に形成されている。本発明の目的を実現するために、前記立体支持リング１の素材は扁平な線材によって構成される。当該扁平な線材は、平面下部が内側に傾斜することで、当該扁平な線材の上辺縁３が外側に、下辺縁２が内側に向く傾斜平面４を構成する。前記扁平な線材の傾斜平面４は、水平面に対し３０°〜８０°（３０度以上８０度以下）の傾斜角度をなすのが好ましい。
【００１４】
より詳細には、この立体支持リング１を構成する半円弧形状に形成された前記扁平な線材は、その外周縁を構成する下辺縁２が所定の平面Ｐ上を延びる形状を有している。また、この扁平な線材は、前記内周縁を構成する下辺縁２が水平面Ｐ上に配置された場合に、この下辺縁２から、立体支持リング１の内周縁を構成する前記上辺縁３に向かうに従って、水平面Ｐから離間する方向に傾斜する形状を有している。これにより、立体支持リング１は、前記下辺縁２が水平面Ｐ上に配置された場合には、この水平面Ｐに対して傾斜する傾斜平面４を形成する。
【００１５】
実施例１では、上記のように構成された立体支持リング１の扁平な線材における傾斜平面４が、水平面Ｐに対し３０°の傾斜角度をなす。図２，図３及び図４から明らかなように、扁平な線材における上辺縁３が外側に、下辺縁２が内側に向く傾斜平面４を構成する場合、最終的に形成される立体支持リング１は、Ａ１方向から見た傾斜平面４の水平面Ｐに対する角度が３０°、Ｂ１方向から見た傾斜平面４の水平面Ｐに対する角度が３０°、Ｃ１−Ｃ１断面部から見た傾斜平面４の水平面Ｐに対する角度が３０°となる。
【００１６】
よって、実施例１の立体支持リング１をカップ内に組み込んだ場合、傾斜平面４の下辺縁２が内側すなわち後方あるいはカップの裏側に向き、上辺縁３が外側すなわち前方あるいはカップの表側に向き、保持する乳房部位の形状とぴったり調和するので、カップをよりしっかりと乳房上に嵌め合わせることが可能となる。即ち、従来技術のような筋状構造を生じることなく、滑らかな外表面を得ることができ、着用においてもよりフィットして着心地が良い。
【００１７】
実施例２では、図６，図７，図８，図９及び図１０に示すように、ポリエステルプラスチック又は樹脂プラスチックの扁平線材を本発明の素材とし、半円弧形状の立体支持リング１を作製する。実施例２では、前記立体支持リング１の素材が扁平な線材によって構成される。前記扁平な線材は、平面下部が内側に傾斜することで、当該扁平な線材の上辺縁５が外側に、下辺縁６が内側に向く傾斜平面７を構成する。
【００１８】
実施例２では、上記のように構成された立体支持リング１の扁平な線材における傾斜平面７が、水平面Ｐに対し６０°の傾斜角度をなす。図７，図８及び図９から明らかなように、扁平な線材における上辺縁５が外側に、下辺縁６が内側に向く傾斜平面７を構成する場合、最終的に形成される立体支持リング１は、Ａ２方向から見た傾斜平面７の水平面Ｐに対する角度が６０°、Ｂ２方向から見た傾斜平面７の水平面Ｐに対する角度が６０°、Ｃ２−Ｃ２断面部から見た傾斜平面７の水平面Ｐに対する角度が６０°となる。
【００１９】
実施例２におけるその他の部分は実施例１と全く同じである。
【００２０】
実施例３は、図１１，図１２，図１３，図１４及び図１５に示すように、シリコンゴム又はナイロンの扁平線材を本発明の素材とし、半円弧形状の立体支持リング１を作製する。実施例３では、前記立体支持リング１の素材が扁平な線材によって構成される。前記扁平な線材は、平面下部が内側に傾斜することで、当該扁平な線材の上辺縁８が外側に、下辺縁９が内側に向く傾斜平面１０を構成する。
【００２１】
前記傾斜平面１０の水平面Ｐに対する傾斜角度は８０°〜８５°（８０度以上８５度以下）であってもよく、実施例３では、上記のように構成された立体支持リング１の扁平な線材における傾斜平面１０が、水平面Ｐに対し８５°の傾斜角度をなす。図１２，図１３及び図１４から明らかなように、扁平な線材における上辺縁８が外側に、下辺縁９が内側に向く傾斜平面１０を構成する場合、最終的に形成される立体支持リング１は、Ａ３方向から見た傾斜平面１０の水平面Ｐに対する角度が８５°、Ｂ３方向から見た傾斜平面１０の水平面Ｐに対する角度が８５°、Ｃ３−Ｃ３断面部から見た傾斜平面１０の水平面Ｐに対する角度が８５°となる。
【００２２】
実施例３におけるその他の部分は実施例１と全く同じである。
【００２３】
実施例４では、図１６，図１７，図１８，図１９及び図２０に示すように、断面が台形であるステンレスの扁平線材を本発明の素材とし、半円弧形状の立体支持リング１を作製する。前記扁平な線材は、平面下部が内側に傾斜することで、当該扁平な線材の上辺縁１１が外側に、下辺縁１２が内側に向く傾斜平面１３を構成する。前記扁平な線材における傾斜平面１３は、水平面Ｐに対し１５°〜８０°（１５度以上８０度以下）の傾斜角度をなすのが好ましい。
【００２４】
実施例４では、上記のように構成された立体支持リング１の扁平な線材における傾斜平面１３が、水平面Ｐに対し１５°の傾斜角度をなす。図１７，図１８及び図１９から明らかなように、扁平な線材における上辺縁１１が外側に、下辺縁１２が内側に向く傾斜平面１３を構成する場合、最終的に形成される立体支持リング１は、Ａ４方向から見た傾斜平面１３の水平面Ｐに対する角度が反時計回りに１５°、Ｂ４方向から見た傾斜平面１３の水平面Ｐに対する角度が時計回りに１５°、Ｃ４−Ｃ４断面部から見た平面１３の水平面Ｐに対する角度が時計回りに１５°となる。
【００２５】
実施例５では、図２１と図２２に示すように、用いられる扁平な線材１４の断面形状が楕円形である。当該扁平な線材の素材はポリエステルプラスチック又は樹脂プラスチックである。
【００２６】
実施例５におけるその他の部分は実施例１と全く同じである。
【図１】
2011106083.tif 000003
【図２】
2011106083.tif 000004
【図３】
2011106083.tif 000005
【図４】
2011106083.tif 000006
【図５】
2011106083.tif 000007
【図６】
2011106083.tif 000008
【図７】
2011106083.tif 000009
【図８】
2011106083.tif 000010
【図９】
2011106083.tif 000011
【図１０】
2011106083.tif 000012
【図１１】
2011106083.tif 000013
【図１２】
2011106083.tif 000014
【図１３】
2011106083.tif 000015
【図１４】
2011106083.tif 000016
【図１５】
2011106083.tif 000017
【図１６】
2011106083.tif 000018
【図１７】
2011106083.tif 000019
【図１８】
2011106083.tif 000020
【図１９】
2011106083.tif 000021
【図２０】
2011106083.tif 000022
【図２１】
2011106083.tif 000023
【図２２】
2011106083.tif 000024